(57)【要約】【課題】  Ｇ（緑）の光線とＢ（青）の光線との互いの影響を排除して良好な画像データを取得可能なフィルムスキャナを構成する。【解決手段】  Ｇ発光ダイオードＧ−ＬＥＤと、Ｂ発光ダイオードＢ−ＬＥＤとを異なるグループに属するようにグループ分けし、光源制御手段５５が、この２グループの発光ダイオードＬＥＤを写真フィルムの搬送速度と同期して交互に発光させ、ラインセンサ制御手段５２が、この発光タイミングと同期したタイミングでグループに分けられた発光ダイオードＬＥＤと対応するラインセンサＬＳから交互にラインデータを取得する。【選択図】        図７
2007036431.tif 000002
【特許請求の範囲】
【請求項１】
Ｒ（赤）、Ｇ（緑）、Ｂ（青）の３原色を少なくとも含む光線を写真フィルムに照射する光源ユニットと、写真フィルムを副走査方向に搬送するフィルムキャリアと、このフィルムキャリアの写真フィルムを透過した光線を送り出す光学レンズと、この光学レンズからの光線が導かれる位置に配置した光電変換ユニットを備えると共に、この光電変換ユニットは、前記副走査方向と直交する姿勢の主走査方向に沿った領域の光線を感知する少なくともＲ（赤）、Ｇ（緑）、Ｂ（青）の３原色に対応したラインセンサを備えているフィルムスキャナであって、
前記光源ユニットが、Ｒ（赤）、Ｇ（緑）、Ｂ（青）の３原色に対応した光線を発光する発光素子を備え、この前記光源ユニットにおいてＧ（緑）の発光素子の発光タイミングと、Ｂ（青）の発光素子の発光タイミングとを異ならせ、Ｇ（緑）の発光素子の発光タイミングでＧ（緑）のラインセンサからラインデータを取得し、Ｂ（青）の発光素子の発光タイミングでＢ（青）のラインセンサからラインデータを取得するスキャニング制御手段を備えているフィルムスキャナ。
【請求項２】
前記スキャニング制御手段は、前記Ｒ（赤）の光線の発光タイミングを、前記Ｇ（緑）の光線又はＢ（青）の光線の発光タイミングと一致させ、この一致させたタイミングで前記Ｇ（緑）又はＢ（青）のラインセンサとＲ（赤）のラインセンサでラインデータを取得する請求項１記載のフィルムスキャナ。
【請求項３】
前記光源ユニットがＩＲ（赤外）の光線を発光する発光素子を備え、前記光電変換ユニットのＲ（赤）、Ｇ（緑）、Ｂ（青）の３原色に対応したラインセンサの少なくとも１つが、赤外光のラインデータを取得できるように構成され、前記スキャニング制御手段は、前記ＩＲ（赤外）の発光素子の発光タイミングで、このＩＲ（赤外）に対応した前記ラインセンサからラインデータを取得する請求項１又は２記載のフィルムスキャナ。
【請求項４】
前記スキャニング制御手段は、前記Ｇ（緑）の発光素子の発光と、Ｂ（青）の発光素子の発光とを交互に行うと共に、前記フィルムキャリアにおいて前記交互の発光タイミングと同期した速度で前記写真フィルムを搬送する請求項１〜３のいずれか１項に記載のフィルムスキャナ。
【発明の詳細な説明】
【技術分野】
【０００１】
本発明は、Ｒ（赤）、Ｇ（緑）、Ｂ（青）の３原色を少なくとも含む光線を写真フィルムに照射する光源ユニットと、写真フィルムを副走査方向に搬送するフィルムキャリアと、このフィルムキャリアの写真フィルムを透過した光線を送り出す光学レンズと、この光学レンズからの光線が導かれる位置に配置した光電変換ユニットを備えると共に、この光電変換ユニットは、前記副走査方向と直交する姿勢の主走査方向に沿った領域の光線を感知する少なくともＲ（赤）、Ｇ（緑）、Ｂ（青）の３原色に対応したラインセンサを備えているフィルムスキャナに関する。
【背景技術】
【０００２】
上記のように構成されたフィルムスキャナとして特許文献１に記載されるものが存在する。つまり、この特許文献１では、Ｒ（赤）、Ｇ（緑）、Ｂ（青）の３原色及びＩＲ（赤外）の光を受光するためにＲ、Ｇ、Ｂ、ＩＲに対応したライン型のＣＣＤアレイを光電変換ユニット（ＣＣＤスキャナ）に備えており、光源ユニットとしてＲ、Ｇ、Ｂに対応した可視光を得るためにメタルハライドランプやハロゲンランプやハロゲンランプを備え、また、ＩＲに対応した光線を得るために赤外光用の発光ダイオードを備えている。
【０００３】
この特許文献１では、Ｒ、Ｇ、Ｂ、ＩＲのライン型のＣＣＤアレイの夫々において光線の遮断と透過とを行う液晶シャッターを備えており、スキャニング時においては可視光と赤外光とを交互に読み込むことにより、Ｒ、Ｇ、ＢのＣＣＤアレイで可視光を読み込む際に赤外光を読み込まないようにしている。具体的にはＲ、Ｇ、ＢのＣＣＤアレイで可視光を受光する際には、赤外光用の発光ダイオードを消灯した状態で、Ｒ、Ｇ、ＢのＣＣＤアレイの液晶シャッターを開放して受光を行い、ＩＲのＣＣＤアレイで赤外光を受光する際には、赤外光用の発光ダイオードを点灯した状態でＩＲのＣＣＤアレイの液晶シャッターを開放して受光を行っている。
【０００４】
【特許文献１】特開２００１‐６９３２４号公報  （段落番号〔００３１〕〜〔００４８〕、図３）
【発明の開示】
【発明が解決しようとする課題】
【０００５】
Ｒ（赤）、Ｇ（緑）、Ｂ（青）の３原色に対応して３種の発光ダイオードを用いたものを例に挙げると、この発光ダイオードのうち、Ｇ（緑）の発光ダイオードと、Ｂ（青）の発光ダイオードとは波長域が一部重複することや、波長域が近いことに起因して、このＧ（緑）の発光ダイオードと、Ｂ（青）の発光ダイオードとを同時に発光させ、対応する波長を受けるＣＣＤアレイで受光した場合でも、Ｇ（緑）のＣＣＤアレイでＢ（青）の光線の一部を受光し、これと同様に、Ｂ（青）のＣＣＤアレイでＧ（緑）の光線の一部を受光する現象に繋がっている。この現象は不正吸収と称されるものであり、この不正吸収が発生した場合には、適正な色バランスの画像データを取得できず、色の濁りに繋がるものであった。
【０００６】
このような不都合に対して前記特許文献１の技術を考えると、この特許文献１では、可視光と赤外光との取得タイミングを異ならせた点が記載されるだけで、異なる波長の可視光の取得タイミングを異ならせる点について考慮がなく、不正吸収を回避できないものである。
【０００７】
本発明の目的は、Ｇ（緑）の光線とＢ（青）の光線との互いの影響を排除して良好な画像データを取得するフィルムスキャナを合理的に構成する点にある。
【課題を解決するための手段】
【０００８】
本発明の特徴は、Ｒ（赤）、Ｇ（緑）、Ｂ（青）の３原色を少なくとも含む光線を写真フィルムに照射する光源ユニットと、写真フィルムを副走査方向に搬送するフィルムキャリアと、このフィルムキャリアの写真フィルムを透過した光線を送り出す光学レンズと、この光学レンズからの光線が導かれる位置に配置した光電変換ユニットを備えると共に、この光電変換ユニットは、前記副走査方向と直交する姿勢の主走査方向に沿った領域の光線を感知する少なくともＲ（赤）、Ｇ（緑）、Ｂ（青）の３原色に対応したラインセンサを備えているフィルムスキャナにおいて、
前記光源ユニットが、Ｒ（赤）、Ｇ（緑）、Ｂ（青）の３原色に対応した光線を発光する発光素子を備え、この前記光源ユニットにおいてＧ（緑）の発光素子の発光タイミングと、Ｂ（青）の発光素子の発光タイミングとを異ならせ、Ｇ（緑）の発光素子の発光タイミングでＧ（緑）のラインセンサからラインデータを取得し、Ｂ（青）の発光素子の発光タイミングでＢ（青）のラインセンサからラインデータを取得するスキャニング制御手段を備えている点にある。
【０００９】
この構成により、写真フィルムから画像を取得する際には、Ｇ（緑）の発光素子の発光タイミングでＧ（緑）のラインセンサからラインデータを取得し、Ｂ（青）の発光素子の発光タイミングでＢ（青）のラインセンサからラインデータを取得することになる。その結果、Ｇ（緑）の光線とＢ（青）の光線との互いの影響による不正吸収を排除して良好な画像データを取得するフィルムスキャナが合理的に構成された。
【００１０】
本発明は、前記スキャニング制御手段は、前記Ｒ（赤）の光線の発光タイミングを、前記Ｇ（緑）の光線又はＢ（青）の光線の発光タイミングと一致させ、この一致させたタイミングで前記Ｇ（緑）又はＢ（青）のラインセンサとＲ（赤）のラインセンサでラインデータを取得しても良い。
【００１１】
この構成により、Ｇ（緑）の光線とＢ（青）の光線との互いの影響を排除しながら、Ｒ（赤）とＧ（緑）、又はＲ（赤）とＢ（青）との光線からラインデータを取得でき、３原色の全てのラインデータを取得するために発光を３回行うものと比較してスキャニングに要する時間を短縮できる。
【００１２】
本発明は、前記光源ユニットがＩＲ（赤外）の光線を発光する発光素子を備え、前記光電変換ユニットのＲ（赤）、Ｇ（緑）、Ｂ（青）の３原色に対応したラインセンサの少なくとも１つが、赤外光のラインデータを取得できるように構成され、前記スキャニング制御手段は、前記ＩＲ（赤外）の発光素子の発光タイミングで、このＩＲ（赤外）に対応した前記ラインセンサからラインデータを取得しても良い。
【００１３】
この構成により、Ｇ（緑）の光線とＢ（青）の光線との互いの影響を排除すると共に、ＩＲ（赤外）に対応したラインセンサを用いずとも、Ｒ（赤）、Ｇ（緑）、Ｂ（青）の３原色に対応したラインデータ、及び、赤外光に対応したラインデータを取得できる。特に、ＩＲ（赤外）のラインデータを取得するよう構成された従来からのフィルムスキャナでは、可視光用のラインセンサと、赤外光用のラインセンサとを異なる位置に配置し、赤外光のみをハーフミラーやダイクロイックミラー等を介して赤外光用のラインセンサに導くように光学系を構成する必要があったが、本発明によると、赤外光用のラインセンサやミラー類が不要となりと構成の単純化が可能となる。
【００１４】
本発明は、前記スキャニング制御手段が、前記Ｇ（緑）の発光素子の発光と、Ｂ（青）の発光素子の発光とを交互に行うと共に、前記フィルムキャリアにおいて前記交互の発光タイミングと同期した速度で前記写真フィルムを搬送しても良い。
【００１５】
この構成により、フィルムキャリアで写真フィルムを一定の速度で搬送しながら、画像データを取得できる。
【発明を実施するための最良の形態】
【００１６】
以下、本発明の実施形態を図面に基づいて説明する。
〔全体構成〕
図１に示すように、光源ユニットＡ、フィルムキャリアＢ、レンズユニットＣ、光電変換ユニットＤ、制御ユニットＥを備えることにより現像済みの写真フィルムＦの画像をデジタル信号化し画像データとして取り込むフィルムスキャナが構成されている。
【００１７】
このフィルムスキャナは、写真フィルムＦのサイズ（１３５サイズ、２４０サイズ、１２０・２２０サイズ等）に対応した前記フィルムキャリアＢを装着し、このフィルムキャリアＢで写真フィルムＦを副走査方向（長手方向）に搬送しながら、光源ユニットＡからの光線を写真フィルムＦに照射し、該写真フィルムＦを透過した光線をレンズユニットＣから前記光電変換ユニットＤに導き、この光電変換ユニットＤでの光電変換により、写真フィルムＦのコマ画像を画像データとして取得する。
【００１８】
図２〜図４に示すように、前記光源ユニットＡは樹脂成形品で成る上壁部１１と、アルミニウム合金で成る側壁部１２と、同じくアルミニウム合金で成る底壁部１３とでケース状に形成されている。前記上壁部１１の内部には、その表面側に発光素子としての発光ダイオードＬＥＤ（後述する４種の発光ダイオードの総称）を備えた第１基板Ｐ１と、第２基板Ｐ２と、第３基板Ｐ３とを配置してあり、これら、第１基板Ｐ１、第２基板Ｐ２、第３基板Ｐ３の裏面側にアルミニウム製のフィン１５を備えている。この光源ユニットＡの側壁部１２には、３つのフィン１５に対して冷却風を送る一対の電動型の冷却ファン１６を備え、この光源ユニットＡの内部には冷却ファン１６夫々からの冷却風を案内する導風体１７を備えている。
【００１９】
前記第１基板Ｐ１にはチップ状の多数の緑色のＧ発光ダイオードＧ−ＬＥＤを主走査方向に直線状に備え、第２基板Ｐ２にチップ状の多数の青色のＢ発光ダイオードＢ−ＬＥＤを主走査方向に直線状に備え、第３基板Ｐ３にチップ状の多数の赤色のＲ発光ダイオードＲ−ＬＥＤと、チップ状の多数の赤外のＩＲ発光ダイオードＩＲ−ＬＥＤとを主走査方向に沿って交互に備えている。
【００２０】
夫々の発光ダイオードＬＥＤからの光線を平行光線化するように夫々の発光ダイオードＬＥＤ（４種の発光ダイオードの総称）に焦点位置を設定した平行化レンズ１８を備え、これらの平行化レンズ１８を介して送り出された光線を合流させるダイクロイック型の第１ミラーＭ１と、第２ミラーＭ２とを備えている。
【００２１】
前記Ｇ発光ダイオードＧ−ＬＥＤからの光線を上方に送るように縦向き姿勢となる第１光軸Ｌ１を設定し、このＧ発光ダイオードＧ−ＬＥＤからの光線を第１ミラーＭ１を透過させて上方に送り出し、前記Ｂ発光ダイオードＢ−ＬＥＤからの光線を第２光軸Ｌ２に沿って上方に送り出し、前記第２ミラーＭ２と第１ミラーＭ１とで反射させて第１光軸Ｌ１に合流させ、Ｒ・ＩＲ光ダイオードＲ−ＬＥＤ・ＩＲ−ＬＥＤからの光線を第３光軸Ｌ３に沿って水平方向に送り出し、前記第２ミラーＭ２を透過させ第３ミラーＭ３で反射させて第１光軸Ｌ１に合流させている。
【００２２】
前記第１光軸Ｌ１上で前記上壁部１１の壁面の近傍位置には光線を拡散させて光量の分布を平均化させる拡散板１０を備え、この拡散板１０の下方位置は減光手段として、電動モータ３１の作動力がクランクアーム３２を介して伝えられる作動プレート３３に支持されるＮＤフィルタ３４を備えている。このＮＤフィルタ３４は、電動モータ３１の作動により光線の光量を減ずる制限位置と、光線に作用しない待避位置とに切り換えられる。
【００２３】
このＮＤフィルタ３４は、例えば、シェーディング補正のための補正テーブルを作成するために、４種の発光ダイオードＬＥＤを発光させ、夫々の光線に対応するラインセンサ（図４を参照）で光線を受けて主走査方向での光量を計測する際に、ラインセンサに過大な光量の光線の入射を回避するために制限位置に設定されるものであり、スキャニング時には待避位置に設定されるものである。尚、図２では、光量を制限する状態を理解しやすくするため、ＮＤフィルタ３４を制限位置にセットした状態を示している。
【００２４】
尚、前記第１ミラーＭ１は前記Ｇ発光ダイオードＧ−ＬＥＤからの波長（５２０〜５６０ｎｍ）の光線を透過し、これ以外の光線を反射する性能のものであり、前記第２ミラーＭ２はＲ・ＩＲ発光ダイオードＲ・ＩＲ−ＬＥＤからの波長（６２０〜７５０ｎｍ及び８３０〜９５０ｎｍ）の光線を透過し、Ｂ発光ダイオードＢ−ＬＥＤからの波長（４００〜４８０ｎｍ）の光線を反射する性能のものを使用している。
【００２５】
前記フィルムキャリアＢは、主走査方向に沿う姿勢に、その長手方向を設定したスリット状のスキャンゲートＳＧが形成されたケース２０を備え、このケース２０には写真フィルムＦを長手方向（副走査方向）に往復搬送させる複数の圧着型の搬送ローラ２１と、この搬送ローラで搬送される写真フィルムの存否を計測する存否センサＦＳと、光源ユニットＡからの光線をスキャンゲートＳＧの部位の写真フィルムＦに導く集光レンズ２２とを備えている。前記搬送ローラ２１は搬送モータ２１Ｍによって駆動される。
【００２６】
前記レンズユニットＣは、図２及び図４に示すようにズーム型の光学レンズ５を備えている。図面には示していないが、このレンズユニットＣは光学レンズの焦点距離を調節するズームモータと、焦点調節を行う合焦モータとを備えている。
【００２７】
前記光電変換ユニットＤは、感知プレート１に対してＲ（赤）の光線を感知するＲラインセンサＲ−ＬＳと、Ｇ（緑）の光線を感知するＧラインセンサＧ−ＬＳと、Ｂ（青）の光線、及び、ＩＲ（赤外）の光線を感知するＢラインセンサＢ−ＬＳの３つのラインセンサＬＳ（３種のラインセンサの総称）を備えている。この３つのラインセンサＬＳは夫々ともＣＣＤ（ Charge Coupled Device）型の光電変換素子を主走査方向に沿って配置した構造を有しており、３つのラインセンサＬＳは互いに並行する位置関係で形成されている。
【００２８】
この３つのラインセンサＬＳは、その分光感度特性（ＣＣＤ感度特性）を図６のように表すことが可能であり、同図から理解できるように特にＢラインセンサＢ−ＬＳは青色及び赤外光に対して高い感度を有しており、ＲラインセンサＲ−ＬＳも同様に赤色と赤外光に対して高い感度を有している。この特性はラインセンサに備えたフィルタ（図示せず）の性能に起因することであり、この性質を利用することにより、この光電変換ユニットでは、ＢラインセンサＢ−ＬＳ、又は、ＲラインセンサＲ−ＬＳを赤外光の感知に兼用する。
【００２９】
前記Ｂ発光ダイオードＢ−ＬＥＤ、Ｇ発光ダイオードＧ−ＬＥＤ、Ｒ発光ダイオードＲ−ＬＥＤ、ＩＲ発光ダイオードＩＲ−ＬＥＤの発光特性（ＬＥＤ光源発光特性）を図５のように示すことが可能である。同図から明らかなように、Ｂ発光ダイオードＢ−ＬＥＤとＧ発光ダイオードＧ−ＬＥＤとの間には、比較的大きく重複する波長領域が存在し、Ｂ発光ダイオードＢ−ＬＥＤの発光時に、この光線をＧラインセンサＧ−ＬＳが感知し、Ｇ発光ダイオードＧ−ＬＥＤの発光時に、この光線をＢラインセンサＢ−ＬＳが感知する現象に繋がるものである。
【００３０】
この現象を不正吸収と称しており、この不正吸収が発生した場合には、適正な色バランスの画像データを得られず、色の濁りに繋がるものである。本発明は、この不正吸収を抑制するために、以下のような制御系を備え、以下の制御を実行している。
【００３１】
〔制御系〕
前記制御ユニットＥの制御系の概要を図７のように示すことが可能である。つまり、この制御系は、マイクロプロセッサＣＰＵを備えた制御ユニットＥの入出力インタフェース（Ｉ／Ｏ）４０に対して、前記ＲラインセンサＲ−ＬＳ、ＧラインセンサＧ−ＬＳ、ＢラインセンサＢ−ＬＳ夫々を制御するセンサコントローラ４１と、前記レンズユニットＣと、前記搬送モータ２１Ｍを制御するドライバ４２と、前記存否センサＦＳと、前記４種の発光ダイオードＩＲ−ＬＥＤ、Ｒ−ＬＥＤ、Ｇ−ＬＥＤ、Ｂ−ＬＥＤを制御するドライバ４３との間で信号のアクセス系を形成している。また、前記入出力インタフェース４０と伝送ユニット４４との間で信号のアクセス系を形成しており、この伝送ユニット４４は通信回線４５を介して画像処理装置等の外部処理装置４６との間でデータをアクセスする。
【００３２】
前記ＣＰＵのデータバスに対して、ＲＡＭやＲＯＭで成る半導体メモリ５１、前記センサコントローラ４１を介してラインセンサＬＳを制御するラインセンサ制御手段５２、前記レンズユニットＣを制御するレンズ制御手段５３、前記フィルムキャリアＢでの写真フィルムＦの搬送を制御する搬送制御手段５４、前記光源ユニットＡを制御する光源制御手段５５、スキャニングモードを設定して写真フィルムＦから画像データを取得するための制御を実行するスキャニング制御手段５６、前記伝送ユニット４４を介して前記外部処理装置４６にデータを伝送するデータ伝送手段５７が接続している。
【００３３】
前記ラインセンサ制御手段５２、レンズ制御手段５３、搬送制御手段５４、光源制御手段５５、スキャニング制御手段５６、データ伝送手段５７はソフトウエアで構成されるものであるが、これらをハードウエアで構成することや、ハードウエアとの組み合わせで構成しても良い。
【００３４】
図面には示していないが前記第１基板Ｐ１、第２基板Ｐ２、第３基板Ｐ３には温度センサを備えており、この温度センサで計測される温度を目標温度に維持するために前記冷却ファン１６を制御することも前記制御ユニットＥにおいて行われるが、図面の複雑化を避けるために制御系には示していない。これと同様に前記ＮＤフィルタ３４を制御する電動モータ３１の制御系も図面に示していない。
【００３５】
〔制御形態〕
このフィルムスキャナでは、前記スキャニング制御手段５６が写真フィルムＦを順方向に搬送しながら画像データを低解像度で取得するプレスキャンを実行した後に、写真フィルムＦを逆方向に搬送しながら画像データを高解像度で取得する本スキャンを実行する。本スキャンを実行時には、取得する画像データの目標画素数に基づき前記レンズ制御手段５３の制御により光学レンズ５による拡大率（主走査方向での画素数）を設定し、取得する画像データの目標画素数に基づいて搬送速度（副走査方向での画素数）を設定する。また、プレスキャンで取得した画像データから画像処理によってコマの位置を特定し、写真フィルムＦの搬送時には、そのコマの位置において、本スキャンによる画像データを取得する制御が実行される。この制御形態の概要を図８のフローチャートのように示すことが可能である。
【００３６】
つまり、本スキャンのために前記搬送制御手段５４の制御によりフィルムキャリアＢで写真フィルムＦの搬送を開始した後には、コマの画像データを取得するタイミング（コマの上流側の端部）に達したことを判別すると（＃０１、＃０２ステップ）、前記光源制御手段５５での制御によりＧ発光ダイオードＧ−ＬＥＤと、Ｂ発光ダイオードＢ−ＬＥＤとが異なるグループに属するようにグループ分けした２グループの発光ダイオードＬＥＤを写真フィルムＦの搬送速度と同期して交互に発光させ（＃０３ステップ）、前記スキャニング制御手段５６の制御により、この発光タイミングと同期したタイミングでグループに分けられた発光ダイオードＬＥＤと対応するラインセンサから交互にラインデータを取得する（＃０４ステップ）。
【００３７】
この制御では複数の発光ダイオードＬＥＤを２つのグループに分け、全ての発光ダイオードＬＥＤからの光線をセンシングする１サイクル中の発光回数を２回に設定し、これと同期するように、ラインセンサＬＳにおける１サイクル中のセンシング回数を２回に設定しているのである。
【００３８】
前記Ｒ発光ダイオードＲ−ＬＥＤと、Ｇ発光ダイオードＧ−ＬＥＤと、Ｂ発光ダイオードＢ−ＬＥＤとの何れかが発光する際には、その光線がミラーＭ１、Ｍ２を透過することや反射することにより、最終的には拡散板１０からフィルムキャリアＢのスキャンゲートＳＧの位置の写真フィルムＦを照射する。また、これらＲ発光ダイオードＲ−ＬＥＤと、Ｇ発光ダイオードＧ−ＬＥＤと、Ｂ発光ダイオードＢ−ＬＥＤとを同時に発光させた際に白色光を得るように、夫々の発光ダイオードＬＥＤの光量のバランスを設定してあり、取得したラインデータからカラーバランスの良い画像データを取得するようにしている。
【００３９】
次に、光源ユニットＡと光電変換ユニットＤとを制御してラインデータの取得を開始した後には、コマの画像データの取得を終了する位置に達するまでラインデータの取得を継続し、この終了するタイミング（コマの下流側の端部）に達すると発光と、ラインデータの取得とを停止し（＃０５、＃０６ステップ）、このようにコマから画像データを取得する処理を写真フィルムＦの全てのコマについて行った後にスキャニングを終了する（＃０７ステップ）。
【００４０】
このフィルムスキャナでは、ラインセンサＬＳで取得したラインデータを前記データ伝送手段５７が外部処理装置４６に伝送し、この外部処理装置４６においてラインデータからコマに対応した画像データを生成する処理形態が採用され、この処理が行われることにより、写真フィルムＦのコマを３原色に色分解した画像データを取得すると同時に、写真フィルムＦのコマに対応するＩＲ（赤外）のデータを取得する。
【００４１】
このＩＲ（赤外）のデータはフィルム面の傷や塵埃を反映した欠陥データとして機能するものであり、外部処理装置４６では、この欠陥データに基づき、画像データにおける傷や塵埃等の欠陥位置を特定し、この欠陥位置の画像データに対して濃度調整処理の他に、ニアレストネイバー法、バイリニア法、バイキュービック法による補間処理により、画像データの欠陥部分の修復を行う。
【００４２】
このフローチャートに示した制御では、画像データを取得する領域でのみ２つのグループの発光ダイオードＬＥＤを交互に発光させていたが、例えば、写真フィルムＦの搬送の開始から終了まで、２つのグループの発光ダイオードＬＥＤを交互に発光させる制御を継続するように発光形態を設定しても良い。また、プレスキャンを行わずに、１度のスキャニングを行うように制御形態を設定しても良い。
【００４３】
また、前記２グループに発光ダイオードＬＥＤを分ける場合、図９（ａ）に示すように、一方のグループをＲ発光ダイオードＲ−ＬＥＤとＢ発光ダイオードＢ−ＬＥＤとし、他方のグループをＧ発光ダイオードＧ−ＬＥＤとＩＲ発光ダイオードＩＲ−ＬＥＤとすると、発光対象とした前記一方のグループを時間Ｔだけ発光させた際にＲラインセンサＲ−ＬＳでＲ（赤）の光線のラインデータを取得し（感知し）、ＢラインセンサＢ−ＬＳでＢ（青）の光線のラインデータを取得し、発光対象として前記他方のグループを時間Ｔだけ発光させた際にＧラインセンサＧ−ＬＳでＧ（緑）の光線のラインデータを取得し、ＢラインセンサＢ−ＬＳでＩＲ（赤外）の光線のラインデータを取得する（感知する）ことになる。
【００４４】
更に、前記２グループに発光ダイオードＬＥＤを分ける場合、図９（ｂ）に示すように、一方のグループをＲ発光ダイオードＲ−ＬＥＤとＧ発光ダイオードＧ−ＬＥＤとし、他方のグループをＢ発光ダイオードＢ−ＬＥＤとＩＲ発光ダイオードＩＲ−ＬＥＤとすると、発光対象とした前記一方のグループを時間Ｔだけ発光させた際にＲラインセンサＲ−ＬＳでＲ（赤）の光線のラインデータを取得し（感知し）、ＧラインセンサＧ−ＬＳでＧ（緑）の光線のラインデータを取得し、発光対象とした前記他方のグループを時間Ｔだけ発光させた際にＢラインセンサＢ−ＬＳでＢ（青）の光線のラインデータを取得し、ＲラインセンサＲ−ＬＳでＩＲ（赤外）の光線のラインデータを取得する（感知する）。
【００４５】
このようにグループ分けした状態で発光とラインデータの取得とを行う処理では図９（ａ）、図９（ｂ）に示すように、２つのグループとも、１サイクルにおけるラインデータの取得時間（Ｔ）を等しくしているが、発光ダイオードＬＥＤの光量が少ないもの、あるいは、ラインセンサＬＳの感度が低いものの取得時間（Ｔ）を、他方の取得時間（Ｔ）より長く設定することも可能である。
【００４６】
本発明では、プレスキャンにおいて、グループ分けした発光ダイオードＬＥＤを交互に発光させ、この発光タイミングで対応したラインセンサＬＳでラインデータを取得しても良い。このプレスキャンでは写真フィルムＦの１本分の長尺となる構造のデータを取得するため、写真フィルムＦの搬送開始から搬送停止までグループ分けした発光ダイオードＬＥＤを交互に発光させ、この発光タイミングで対応するラインセンサＬＳでラインデータを取得する制御を実行することになる。
【００４７】
このように本発明によると、Ｇ発光ダイオードＧ−ＬＥＤとＢ発光ダイオードＢ−ＬＥＤとが異なるグループに属するように発光ダイオードＬＥＤを２つのグループに分け、これに対応するラインセンサＬＳも２つのグループに分け、発光ダイオードＬＥＤをグループ毎に交互に発光させ、この発光タイミングと同期して対応したラインセンサＬＳでラインセンサを取得するので、Ｇ発光ダイオードＧ−ＬＥＤとＢ発光ダイオードＢ−ＬＥＤとからの影響を互いに排除して、色に濁りを発生させない良好な画像データを取得できるのである。
【００４８】
特に、３種のラインセンサＬＳを用いるものでありながら、可視光の３原色のラインデータだけでなく、赤外光によるデータも取得するので、赤外光用のラインセンサを用いないで済むものにしており、コストの低減に繋がるものにしている。
【００４９】
〔別実施形態〕
本発明は、上記した実施の形態以外に以下のように構成しても良い。
【００５０】
（ａ）２グループに発光ダイオードＬＥＤを分ける場合、一方のグループにＧ発光ダイオードＧ−ＬＥＤのみを備え、他方のグループにＲ発光ダイオードＲ−ＬＥＤとＢ発光ダイオードＢ−ＬＥＤと、ＩＲ発光ダイオードＩＲ−ＬＥＤとを含める。このように構成した場合、光電変換ユニットＤに可視光のための３種のラインセンサの他に赤外光用のラインセンサを必要とするものとなるが、不正吸収を除去することが可能となる。
【００５１】
（ｂ）１サイクルの発光回数を３回以上に設定する。具体的には３種の発光ダイオードＬＥＤを備えたものでは１サイクルの発光回数を３回に設定し、４種の発光ダイオードＬＥＤを備えたものでは１サイクルの発光回数を４回に設定する。このように発光回数を設定して独立した発光を行わせることにより各色の不正吸収を一層良好に排除できる。
【００５２】
（ｃ）Ｇ発光ダイオードＧ−ＬＥＤと、Ｂ発光ダイオードＢ−ＬＥＤとが異なるグループに属するようにグループ分けし、一方のグループの発光ダイオードＬＥＤの発光を継続した状態で写真フィルムＦを搬送してコマからラインデータを取得し、このラインデータの取得を終了した後に、他方のグループの発光ダイオードＬＥＤの発光を継続した状態で写真フィルムＦを搬送してコマからラインデータを取得し、この２種のラインデータを重ね合わせる形態で合成することにより画像データを生成する。このように制御形態を設定することにより、発光ダイオードＬＥＤを交互に発光させるスキャニング形態で、発光を停止した直後の発光ダイオードの残光の影響を排除できる。
【産業上の利用可能性】
【００５３】
複数本の写真フィルムを接続した長尺の写真フィルムのスキャニングを行うフィルムスキャナに適用しても良い。
【図面の簡単な説明】
【００５４】
【図１】フィルムスキャナの斜視図
【図２】光源ユニットとフィルムキャリアとの縦断正面図
【図３】光源ユニットの縦断側面図
【図４】フィルムスキャナの概要を模式的に示す斜視図
【図５】ＬＥＤ光源の発光特性をグラフ化した図
【図６】ＣＣＤ感度特性をグラフ化した図
【図７】制御系のブロック回路図
【図８】スキャニングルーチンのフローチャート
【図９】発光ダイオードとラインセンサとの対応関係及びタイミングを示す図
【符号の説明】
【００５５】
５            光学レンズ
５６          スキャニング制御手段
Ａ            光源ユニット
Ｂ            フィルムキャリア
Ｄ            光電変換ユニット
Ｆ            写真フィルム
ＬＳ          ラインセンサ
ＬＥＤ        発光素子：発光ダイオード
【図１】
2007036431.tif 000003
【図２】
2007036431.tif 000004
【図３】
2007036431.tif 000005
【図４】
2007036431.tif 000006
【図５】
2007036431.tif 000007
【図６】
2007036431.tif 000008
【図７】
2007036431.tif 000009
【図８】
2007036431.tif 000010
【図９】
2007036431.tif 000011